(57)【要約】【課題】  脱穀装置において、ささり籾の低減を行う点にある。【解決手段】  処理物を軸芯方向後方側へ送りながら扱ぎ処理を施す扱胴１と、処理物を軸芯方向後方側へ送りながら揉み処理を施す処理胴２０とを並設する。扱胴１と処理胴２０とのそれぞれの下方に、扱ぎ処理を受けた処理物を漏下させる受網を装備する。扱胴１の前部から処理胴２０の前部に向けて未処理物の一部を送り込むことができるように、処理胴２０を収納する処理胴室２２と扱胴１を収納する扱室３とを連通可能に構成する。【選択図】        図２
2005295846.tif 000002
【特許請求の範囲】
【請求項１】
処理物を軸芯方向後方側へ送りながら扱ぎ処理を施す扱胴と、処理物を軸芯方向後方側へ送りながら揉み処理を施す処理胴とを並設するとともに、それら扱胴と処理胴とのそれぞれの下方に、扱ぎ処理を受けた処理物を漏下させる受網を装備し、前記扱胴の前部から前記処理胴の前部に向けて未処理物の一部を送り込むことができるように、前記処理胴を収納する処理胴室と前記扱胴を収納する扱室とを連通可能に構成してある脱穀装置。
【請求項２】
前記扱室を、前記扱胴を支持する上部支持体と、前記受網を支持する下部支持体とに構成し、上部支持体を扱胴とともに下部支持体に対して揺動開閉可能に構成し、前記上部支持体の揺動支点軸を前記処理胴の支持回動軸に兼用させてある請求項１記載の脱穀装置。
【発明の詳細な説明】
【技術分野】
【０００１】
本発明は、扱胴と処理胴を備えた脱穀装置に関する。
【背景技術】
【０００２】
脱穀装置では扱胴と処理胴とを並設して、扱胴の後半部から処理胴に向けて、処理物を送り込み、その処理胴室で揉み処理を加えるように構成したものがある（特許文献１、２参照）。
【０００３】
【特許文献１】特開平１０−１４６１２８号公報（段落番号〔００１９〕、図２）
【特許文献２】特開平１０−１３６７６５号公報（段落番号〔００１６〕、図２）
【発明の開示】
【発明が解決しようとする課題】
【０００４】
上記のように、扱胴に対して処理胴を並設して、扱胴とともに処理胴でも処理物に対して処理作用を加えることにより、藁屑に混入してその藁屑とともに機外に排出される、ささり籾現象を解消する手段を採ってはいるが、処理物が扱胴から処理胴に送り込まれる部位が、扱胴の後半部からに限られるので、ささり籾現象を十分に解消するには至ってなかった。
【０００５】
本発明の目的は、ささり籾現象を十分に解消できる脱穀装置を提供する点にある。
【課題を解決するための手段】
【０００６】
〔構成〕
請求項１に係る発明の特徴構成は、処理物を軸芯方向後方側へ送りながら扱ぎ処理を施す扱胴と、処理物を軸芯方向後方側へ送りながら揉み処理を施す処理胴とを並設するとともに、それら扱胴と処理胴とのそれぞれの下方に、扱ぎ処理を受けた処理物を漏下させる受網を装備し、前記扱胴の前部から前記処理胴の前部に向けて未処理物の一部を送り込むことができるように、前記処理胴を収納する処理胴室と前記扱胴を収納する扱室とを連通可能に構成してある点にあり、その作用効果は次の通りである。
【０００７】
〔作用〕
つまり、扱胴の前部から早々に処理胴室に扱ぎ処理物を送り込む態勢を採ったことによって、未処理物の割合が多い扱胴の前部部位における処理物量を処理胴にも分散させることができる。
したがって、処理胴によって処理物を処理しその処理胴側に設けた受網を通して処理物の漏下を行うとともに、扱室においても扱胴前部での処理物量を低減できるので、多くの処理物に対する扱ぎ処理作用を行うことができる。
これによって、扱室だけでなく処理胴室においても、十分な解し作用を初期の段階から加えることができ、藁内への籾の混入を抑制できる。
【０００８】
〔発明の効果〕
処理胴室への処理物の送り込み部位を変更ことによって、ささり籾現象や見処理物量の低減化を図ることができた。
【０００９】
〔構成〕
本発明のうちの請求項２記載の発明では、前記扱室を、前記扱胴を支持する上部支持体と、前記受網を支持する下部支持体とに構成し、上部支持体を扱胴とともに下部支持体に対して揺動開閉可能に構成し、前記上部支持体の揺動支点軸を前記処理胴の支持回動軸に兼用させてある点にあり、その作用効果は次の通りである。
【００１０】
〔作用〕
請求項１に係る発明に対応する作用に加えて次のような作用もある。つまり、扱胴を上部支持体と一体で揺動開放できるので、下方にある受網等を取り替える場合やメインテナンス作業を行う場合に作業スペースが確保できて、有用な構造である。そして、上部支持体を揺動自在に支持する支持軸を処理胴の支持回動軸として利用したので、別個に処理胴を支持する軸を設ける必要がなくなった。
【００１１】
〔効果〕
したがって、支持回動軸の兼用化により部品点数の削減を図ることができる。
【発明を実施するための最良の形態】
【００１２】
〔第１の実施形態〕
自脱型コンバインの脱穀装置Ａの構造について説明する。
図１に示すように、脱穀装置Ａは、刈取搬送穀稈に扱ぎ処理を加える扱胴１、扱胴１で扱ぎ処理された処理物を下方に漏下する受網２を備えた扱室３と、扱胴１と回転軸芯を平行にした状態で配置されその回転軸芯に沿って処理物を後方に送りながら揉み処理を加える処理胴２０、処理胴２０で揉み処理された処理物を下方に漏下する受網２１とを備えた処理胴室２２と、扱室３及び処理胴室２２の下方に受網２、２１から漏下する処理物に対して選別処理する揺動選別装置４と、更に下方に、揺動選別装置４より放出される一番物を穀粒貯留部（図外）に送る一番物搬送コンベア５と、二番物を扱室３に戻す二番物搬送コンベア６とを備え、扱室３の機体後方側に機外に排塵等を排出する排塵ファン７とを設けて、刈取穀稈を脱穀処理すべく構成してある。
【００１３】
図１に示すように、揺動選別装置４は、受網２から漏下された処理物を受止め機体後方側に搬送するグレンパン８とそのグレンパン８の後方にチャフシーブ９とを配置して穀粒と藁屑等を比重差選別するように構成するとともに、チャフシーブ９の下方に穀粒を風選別処理するグレンシーブ１０を設け、これらの装置を揺動ケース１１に装備して、機体前方側の唐箕１２からの選別風と揺動作動によって選別処理を行うべく構成してある。
【００１４】
次ぎに、扱胴１の構造について説明する。図２〜４に示すように、扱胴１は、円筒ケース１Ａの外周面に、脱穀フィードチェーン１５に株元部分を挾持されて横倒れ姿勢で搬送されてきた搬送穀稈に対して扱ぎ処理を施す扱歯１Ｂを螺旋状に配置して立設し、その搬送穀稈に脱粒処理を加えるように構成されている。
扱胴１は、円筒ケース１Ａの前端部から後端部に向けて、その円筒ケース１Ａの回転軸芯Ｘに位置する前後向き姿勢の回転軸１Ｃに取り付けてあり、その回転軸１Ｃを扱室３より前向きに突出させて、回転軸１Ｃの突出端に入力プーリ１３を取付て扱胴１を伝動ベルト１４で駆動するように構成してある。
【００１５】
図２〜図４に示すように、扱胴１の後端部には、補助扱胴１６が回転軸１Ｃに取り付けてあり、補助扱胴１６は、扱胴１の円筒ケース１Ａよりも小径の補助円筒ケース１６Ａを回転軸１Ｃに外嵌するとともにその補助円筒ケース１６Ａの外面に補助扱歯１６Ｂを植設し、その補助扱歯１６Ｂ先端位置を扱歯１Ｂの先端位置と同じ径に設定してある。
【００１６】
補助扱胴１６は扱室３の後端位置に設けてある排塵口１９の上方に設けてあり,排塵口１９まで送られてきた処理物に対する解し作用を加え、藁屑等に混入するささり籾を分離して藁屑等から分離するように構成してある。
扱胴１下方の受網２は、詳細な図は示していないが、板状の桟とその桟を貫通する丸棒状の桟とを組み合わせたコンケーブ式の受網となっており、扱ぎ処理物の漏下を促進する構造となっている。
【００１７】
処理胴２０の構成について説明する。図２〜図４に示すように、扱胴１の回転軸１Ｃと平行に処理胴２０の支持回動軸２０Ｃを平行に配置するとともに、その支持回動軸２０Ｃに処理胴用の円筒ケース２０Ａを取付固定し、その円筒ケース２０Ａの外周面に螺旋板２０Ｄを巻き着けるとともにその螺旋板２０Ｄに刃板２０Ｅを適当間隔置きに取り付けてある。処理胴２０側の受網２１も扱胴1下方の受網２と同様に、コンケーブ型の受網であればよい。
ただし、受網２として、超高分子量のポリエチレン製の平板材に多数の孔を開けた樹脂製の網を採用している場合には、処理胴２０側受網２１も樹脂製の網を用いることができ、線材を網状に組み上げたクリンプ網を使用すれば処理胴２０の受網２１もクリンプ網を使用できる。
【００１８】
処理胴２０は扱胴１よりも脱穀フィードチェーン１５から離れた位置でやや上方に位置しており、処理胴２０側の受網２１は、処理胴２０の下方から上方に至る範囲で設けてある。この構成により、処理胴２０による揉み処理区間を長く採ることができる。
【００１９】
図２及び図３に示すように、処理胴２０の支持回動軸２０Ｃを処理室２２の前後壁２２Ａ,２２Ｂより突出させ、後壁２２Ｂより突出させた後端部に入力プーリ２４を取付ける。その入力プーリ２４に対して図外のエンジン等から支持回転軸２０Ｃに入力する。支持回転軸２０Ｃに供給された動力を供給すべく、前壁２２Ａより突出させた前端部に出力プーリ２３を取り付けて、その出力プーリ２３から扱胴１の入力プーリ１３に動力供給すべく伝動ベルト１４を巻回する。なお、図中２９は、伝動ベルト１４に対するテンションプーリであり、下部支持体２７の前壁に回転自在に固定されており、伝動ベルト１４に対して下方から当接する状態に設置してある。この構成によって、扱胴１が上部支持体２６とともに上方に揺動しても、テンションプーリ２９から伝動ベルト１４は離間し、上部支持体２６の下降とともに伝動ベルト１４が上方側から当接してテンション力が作用する。
【００２０】
図２及び図３に示すように、扱胴１を収納した扱室３と処理胴２０を収納した処理胴室２２とを設けるとともに、扱室３と処理胴室２２との境界壁を取り払って、扱胴１の前部から処理胴２０の前部下方に向けて未処理物の一部を送り込むことができるように、処理胴室２２と扱室３とを連通可能に構成してある。
つまり、扱胴１から送り込まれた未処理物は、処理胴２０と受網２１とによって揉み処理を施され、籾のみが受網２１より漏下される。一方、藁の多い残処理物は処理胴２０によって後方側に向けて送られるとともに、その処理物の一部は扱室３内に還元される。処理胴室２２の後端まで送られた未処理物は、補助扱胴１６側に送られてその補助扱胴１６によって排塵口１９から揺動選別装置４に放出される。
以上のような処理物の流れを構築することによって、未処理粒が藁に混入して扱室３より放出されることを抑制できる。
【００２１】
次に、扱胴１の揺動開放構造について説明する。図４及び図５に示すように、扱室３を、扱胴１を支持する上部支持体２６と、受網２を支持する下部支持体２７とに構成し、上部支持体２６を扱胴１とともに下部支持体２７に対して揺動開閉可能に構成してある。上部支持体２６の揺動支点軸を処理胴２０の支持用の回動軸２０Ｃに定めてあり、その揺動支点軸としての支持回動軸２０Ｃに揺動アーム２８を取り付け、その揺動アーム２８の先端部分を上部支持体２６に連結固定し、作業者の人為力により上部支持体２６を持ち上げ可能に構成してある。
【００２２】
つまり、扱室３の前後壁２６Ａ、２６Ｂは、扱胴１を支持する上部支持体２６に属する部分と、処理胴２０を支持する下部支持体２７とに属する部分に分割可能に構成してあり、処理胴２０はその支持回動軸２０Ｃが上部支持体２６の揺動開放支点軸に兼用されているので、扱胴１が開放されても持ち上げられることはない。
【００２３】
なお、図示してはないが、上部支持体２６と下部支持体２７とに亘って上部支持体２６を持ち上げ付勢するガススプリング装置を設けてもよい。また、上部支持体２６を持ち上げるには、作業者自身が持ち上げるのではなく、シリンダ等の駆動装置を用いて持ち上げてもよい。
【００２４】
次に、扱胴１の取り外し構造について説明する。図６に示すように、上部支持体２６の前壁２６Ａと後壁２６Ｂとにおける扱胴１を軸支した前軸支部２６ａと後軸支部（図示せず）とを、上部支持体２６の本体部分２６Ｃに対してフランジ面で着脱自在に構成してある。
上記した構成において、扱胴1等のメインテナンスを行う場合には、前軸支部２６ａと後軸支部とを本体部分２６Ｃから取り外すと、前後軸支部２６ａに亘って軸支されている扱胴１も伴に取り外すことができる。このように、前後軸支部２６ａと扱胴１とをユニット化できるので、扱胴交換等も容易に行えるようになった。
【００２５】
〔別実施形態〕
以下、本発明の別実施形態を列記する。
（イ）  扱胴１に補助扱胴１６を併設しているので、補助扱胴１６を扱胴１とは、異なる回転数で駆動するようにしてもよい。つまり、補助扱胴１６を、扱胴回転軸１Ｃに軸受（図示せず）を介して相対回転自在に支持させ、入力プーリ２４からの動力伝達を受ける伝動プーリ（図示せず）を別個に設けて、補助扱胴１６を扱胴１とは異なる回転数で駆動するように構成する。
このように、補助扱胴１６の回転数を扱胴１とは別個に設定すると、処理胴２０から還流される処理物と、扱胴１から送られてくる処理物とを解し処理するのに、最適な回転数を設定でき、ささり籾現象を有効に解消できる。
（ロ）  本発明は、扱胴開放式ではない脱穀装置にも適用できる。
【図面の簡単な説明】
【００２６】
【図１】脱穀装置の縦断側面図
【図２】扱胴の平面図
【図３】脱穀装置の縦断正面図
【図４】脱穀装置の正面図
【図５】扱胴を開放した状態を示す脱穀装置の正面図
【図６】扱胴を前後軸支部とともに取り外した状態を示す脱穀装置の正面図
【符号の説明】
【００２７】
１      扱胴
２      受網
３      扱室
２０    処理胴
２１    受網
２２    処理胴室
２２Ｃ  支持回動軸
２６    上部支持体
２７    下部支持体
【図１】
2005295846.tif 000003
【図２】
2005295846.tif 000004
【図３】
2005295846.tif 000005
【図４】
2005295846.tif 000006
【図５】
2005295846.tif 000007
【図６】
2005295846.tif 000008